(57)【要約】【課題】鉗子口等のようなアダプター接続口の部材に過負荷がかかっても、接続口取付け部材や内部管路部材が破損することのないようにする。【解決手段】送液等のためのアダプターを鉗子口１２Ｋに接続する内視鏡の管路接続装置で、鉗子口本体１２の下方に、外周が略正四角形となる角形部１２ｄを形成し、一方の樹脂製ホルダー１４の取付け孔１５の下方に、内周が略正四角形とされて、上記角形部１２ｄが嵌合する係合孔１５ｄを形成する。そして、上記角形部１２ｄと係合孔１５ｄの間に、弾性ゴム１６を配置することで、所定のトルク値以上で鉗子口本体１２が空転するトルクリミッタ機構を構成する。なお、上記弾性ゴム１６を設けず、鉗子口本体側又はホルダー側に弾性を持たせた構成にすることもできる。【選択図】図１
2011182939.tif 000002
【特許請求の範囲】
【請求項１】
アダプターを接続するための接続口が設けられた接続部本体を取付け孔に取り付け、上記アダプターを医療装置内管路に着脱する医療装置の管路接続装置において、
上記取付け孔に取り付けた上記接続部本体が所定のトルク値で回転するようになるトルクリミッタ機構を設けたことを特徴とする医療装置の管路接続装置。
【請求項２】
上記トルクリミッタ機構は、上記接続部本体の外周と上記取付け孔の内周の形状を略同一とし、かつ上記接続部本体と上記取付け孔の部材の少なくとも一方を弾性部材として構成されることを特徴とする請求項１記載の医療装置の管路接続装置。
【請求項３】
上記トルクリミッタ機構は、上記接続部本体の外周と上記取付け孔の内周の形状を略同一とし、かつ上記接続部本体と取付け孔の間に弾性ゴムを配置してなることを特徴とする請求項１記載の医療装置の管路接続装置。
【請求項４】
上記接続部本体の外周と上記取付け孔の内周の形状は、四角形以上の多角形としたことを特徴とする請求項２又は３記載の医療装置の管路接続装置。
【請求項５】
上記取付け孔部材から上記接続部本体の外周に当接し、上記トルクリミッタ機構のトルクを調整する調整部材を設けたことを特徴とする請求項１乃至４のいずれかに記載の医療装置の管路接続装置。
【請求項６】
上記トルクリミッタ機構は、５０Ｎ・ｃｍ〜４００Ｎ・ｃｍのトルク値で回転が許容されるように設定したことを特徴とする請求項１乃至５のいずれかに記載の医療装置の管路接続装置。
【発明の詳細な説明】
【技術分野】
【０００１】
本発明は医療装置の管路接続装置、特に送液等のための内視鏡内管路等に外部器具（アダプター）を接続するための管路接続装置の構成に関する。
【背景技術】
【０００２】
図９には、下記特許文献１，２と同様の従来の内視鏡操作部の鉗子口部分の構成が示されており、内視鏡の内部には、図示のように、鉗子等の処置具を先端部から体腔内へ挿入するため、或いは体腔内へ送液を行うための処置具挿通チャンネル１が設けられ、この処置具挿通チャンネル１の導入口としての鉗子口２Ｋ（鉗子口本体２）が操作部３に設けられる。
【０００３】
即ち、操作部３の上部のホルダー（樹脂製取付け部）４の円形取付け孔の下方に、雌ネジ部４ａが形成されており、この雌ネジ部４ａに、鉗子口本体（金属製）２の下側に形成された雄ネジ部２ａを螺合結合させることで、鉗子口本体２が処置具挿通チャンネル１の端管に接続された状態で、操作部３に取り付け固定される。また、この取付け固定では、接着剤の使用や鉗子口本体２の側面溝に配置したＯリング５により鉗子口部材取付け部分の水密状態が維持できる。
【０００４】
そして、この鉗子口２Ｋには、送液用アダプター（外部器具）としての例えば送液用管７がコネクタ８により接続されることになる。このコネクタ８は、例えばルアーロック式のコネクタからなり、内部の雌ネジ部８ａを鉗子口２Ｋのつば状の凸部に螺合結合することで、送液用管７を鉗子口２Ｋに接続することができ、これによって送液が可能となる。
【先行技術文献】
【特許文献】
【０００５】
【特許文献１】特開平７−３１５８６号公報
【特許文献２】特開平７−１９４５２３号公報
【発明の概要】
【発明が解決しようとする課題】
【０００６】
しかしながら、従来の内視鏡で送液等を行う場合、上記コネクタ８を回転させて鉗子口２Ｋに接続するため、また水密状態の維持のためしっかりと固定する必要があるため、使用者の力の掛け具合によっては、鉗子口２Ｋ及びその本体２に回転方向の過負荷がかかり、ホルダー４部分や処置具挿通チャンネル１の管路部品が破損する可能性があった。
【０００７】
内視鏡では、上述した鉗子口２Ｋの他に、送液等を行うものとしてウォータージェット口等もあり、このような送液口においても、アダプターを接続する際には同様の問題がある。
【０００８】
本発明は上記問題点に鑑みてなされたものであり、その目的は、鉗子口等のようなアダプター接続口の部材に過負荷がかかっても、接続口取付け部材や内部管路部材が破損することのない医療装置の管路接続装置を提供することにある。
【課題を解決するための手段】
【０００９】
上記目的を達成するために、請求項１に係る発明は、アダプターを接続するための接続口が設けられた接続部本体を取付け孔に取り付け、上記アダプターを医療装置内管路に着脱する医療装置の管路接続装置において、上記取付け孔に取り付けた上記接続部本体が所定のトルク値で回転するようになるトルクリミッタ機構を設けたことを特徴とする。
請求項２の発明に係る上記トルクリミッタ機構は、上記接続部本体の外周と上記取付け孔の内周の形状を略同一とし（いわゆるキー係合とし）、かつ上記接続部本体と上記取付け孔の部材の少なくとも一方を弾性部材として構成されることを特徴とする。
請求項３の発明に係る上記トルクリミッタ機構は、上記接続部本体の外周と上記取付け孔の内周の形状を略同一とし、かつ上記接続部本体と取付け孔の間に弾性ゴムを配置してなることを特徴とする。
請求項４の発明は、上記接続部本体の外周と上記取付け孔の内周の形状は、四角形以上の多角形としたことを特徴とする。
請求項５の発明は、上記取付け孔部材から上記接続部本体の外周に当接し、上記トルクリミッタ機構のトルクを調整する調整部材を設けたことを特徴とする。
請求項６の発明は、上記トルクリミッタ機構では、５０Ｎ・ｃｍ〜４００Ｎ・ｃｍ（５０Ｎ・ｃｍ≦設定値≦４００Ｎ・ｃｍ）のトルク値で回転が許容されるように設定したことを特徴とする。
【００１０】
本発明の構成によれば、上記取付け孔の内周に接続部本体の外周がキー係合し、接続部本体に例えばトルク値５０Ｎ・ｃｍ以上の負荷がかかると、その負荷を逃がすように接続部本体が取付け孔で空転することになり、これによって、接続口配置の周辺部材の破損が防止される。
【発明の効果】
【００１１】
本発明の医療装置の管路接続装置によれば、送液等を行うアダプターの取付け・接続時に、鉗子口、ウォータージェット口等のような接続口の部材に過負荷がかかっても、接続口取付け部分や内部管路部品が破損せず、品質の向上を図ることができるという効果がある。
【図面の簡単な説明】
【００１２】
【図１】本発明の第１実施例に係る医療装置（内視鏡）の管路接続装置（鉗子口部分）の構成を示す断面図である。
【図２】第１実施例の管路接続装置が適用される内視鏡操作部の構成を示す斜視図である。
【図３】第１実施例の管路接続装置を構成する部品を示す斜視図である。
【図４】実施例の接続部本体の取付け部分の構成を示し、図（Ａ）は第１実施例の断面図、図（Ｂ）は第２実施例の断面図である。
【図５】実施例の接続部本体の外周及び取付け孔の内周の形状の他の例を示す図である。
【図６】第３実施例の管路接続装置の取付け部分の構成を示す断面図である。
【図７】第４実施例の管路接続装置の構成を示す断面図である。
【図８】実施例の管路接続装置が適用される内視鏡の他の接続口を示す斜視図である。
【図９】従来における内視鏡の管路接続装置の構成を示す断面図である。
【発明を実施するための形態】
【００１３】
図１乃至図４には、本発明の第１実施例に係る内視鏡の管路接続装置が示されており、この第１実施例は、図２に示されるように、内視鏡操作部１０に設けられた鉗子口１２Ｋに適用されている。
図１において、操作部１０の処置具挿通チャンネル１は、鉗子等の処置具を先端部から体腔内へ挿入するため、また体腔内へ送液を行うために先端部まで配設されており、この処置具挿通チャンネル１の導入口としての鉗子口１２Ｋが操作部１０に設けられる。
【００１４】
上記鉗子口１２Ｋは、金属製の鉗子口本体（接続部本体）１２における管路導入口として形成され、この鉗子口１２Ｋには、アダプターを接続固定するためのつば状の環状凸部１３を有しており、一方、操作部１０の取付け部としての樹脂製ホルダー１４には、上記鉗子口本体１２を挿入・取付けのための取付け孔１５が形成されている。そして、図３（Ａ）、図４にも示されるように、上記鉗子口本体１２の上方（先端側）外周は円形となるが、その下方に、外周が略正四角形となる角形部１２ｄが形成され、一方のホルダー１４の取付け孔１５にも、その上方内周は円形孔であるが、その下方に、内周が略正四角形とされて、上記角形部１２ｄが係合する係合孔（角形部１２ｄよりも少し大きな角形孔：キー係合孔）１５ｄが形成される。
【００１５】
そして、第１実施例では、上記角形部１２ｄの外周に、その外周形状にぴったり合う正四角形状中空の弾性ゴム１６が取り付けられる。この弾性ゴム１６は、単なる円形中空のものでもよい。なお、上記鉗子口本体１２には、上記角形部１２ｄの上方等の外周（環状溝）に、内視鏡内部の水密を維持するためのＯリング５が配置される。
【００１６】
また、取付け孔１５に挿入した上記鉗子口本体１２を軸方向に固定するため、固定用リング１８が設けられ、この固定用リング１８は、その外周に形成された雄ネジ部１８ａを、取付け孔１５に形成された雌ネジ部１５ａに螺合結合することで、鉗子口本体１２の抜けが防止される。
【００１７】
第１実施例は以上の構成からなり、第１実施例のトルクリミッタ機構は、外周が略正四角形でかつ弾性ゴム１６が嵌められた鉗子口本体１２を、内周が略正四角形の取付け孔１５にキー係合することで実現され、このトルクリミッタ機構の回転許容（開始）のトルク（リミット値）は、例えば１００Ｎ・ｃｍ程度の値に設定される。
【００１８】
そして、図９で説明したように、アダプターとしての例えば送液用管７のコネクタ８等を回しながら鉗子口１２Ｋに接続することになるが、この接続操作時に、鉗子口本体１２に対し１００Ｎ・ｃｍ程度以上のトルクがかかると、弾性ゴム１６の変形により、場合によっては係合孔１５ｄの部分の多少の変形も加わることで、角形部１２ｄが係合孔１５ｄの中で回転し、鉗子口本体１２は取付け孔１５の中で空転する。この結果、鉗子口本体１２に加わった回転負荷が逃がされ、ホルダー１４等に破損負荷を与えることが防止される。
【００１９】
このようなトルクリミッタ機構の回転許容トルクとしては、５０Ｎ・ｃｍ以上で４００Ｎ・ｃｍ以下の値に設定することが好ましい。即ち、通常、送液用アダプター（コネクタ）の着脱時に加わるトルクは、２０〜３０Ｎ・ｃｍであり、５０Ｎ・ｃｍ未満であると、異常な操作でないにも拘らず、鉗子口本体１２が空転し、使用者に違和感を与えることになり、また４００Ｎ・ｃｍよりも大きいと、ホルダー１４や処置具挿通チャンネル１の端管等が壊れる可能性が高くなるからである。
【００２０】
図４（Ｂ）には、第２実施例の構成が示されており、この第２実施例は、第１実施例の弾性ゴムをなくし、ホルダーの弾性を利用したものである。即ち、この第２実施例でも、金属製の鉗子口本体２０の下方に外周が略正四角形となる角形部２０ｄが形成され、樹脂製で弾性を持つホルダー２１の取付け孔２２にも、その下方に、内周が略正四角形とされ、上記角形部１２ｄが少しの遊びを持って嵌合する係合孔（嵌合孔）２２ｄが形成される。この第２実施例では、ホルダー２１の樹脂性材料が持つ弾性によって、５０Ｎ・ｃｍ〜４００Ｎ・ｃｍの範囲の所定の回転許容トルク値が設定される。
【００２１】
このような第２実施例によっても、操作時に所定のトルク値以上の力がかかると、ホルダー２１の係合孔２２ｄの弾性変形により、角形部２０ｄが回転し、鉗子口本体２０は取付け孔２２の中で空転することになる。
【００２２】
また、この第２実施例では、トルクリミッタ機構のトルクを調整するための調整部材を設けており、図４（Ｂ）に示されるように、ホルダー２１の外周から係合孔２２ｄ内までネジ孔２１ｅを設け、このネジ孔２１ｅにトルク調整ネジ２４を螺合配置している。このようなトルク調整ネジ２４によれば、その先端が鉗子口本体２０の角形部２０ｄの側面部に当接しており、この当接状態（調整ネジの位置、当接の強さ）を変えることで、回転許容トルクを調整することができる。
【００２３】
なお、第２実施例では、ホルダー２１側部材の弾性を利用したが、このホルダー２１（取付け孔２２）側に金属製部材を配置しかつ鉗子口本体２０側に弾性を持つ樹脂性部材を用いることで、トルクリミッタ機構の所定の回転許容トルクを設定するようにしてもよく、またホルダー２１側部材と鉗子口本体２０側部材の両方に弾性を持たせた構成にしてもよい。
【００２４】
図５には、トルクリミッタ機構としての上記鉗子口本体１２の外周と上記取付け孔１５,２２の内周（キー係合）のその他の形状が示されており、上述した実施例では、正四角形の角を丸くしたが、図５（Ａ）のように、鉗子口本体２の外周と取付け孔１５,２２の内周を、正四角形の角を直線カットした形状としてもよく、四角形以上の多角形としてもよい。また、図５（Ｂ）に示されるように、円形の一部を直線カットした形状とすることもできる。
【００２５】
図６には、第３実施例の構成が示されており、この第３実施例は、樹脂製のホルダー２６の取付け孔２７の下方の内周が円形とされた係合孔２７ｄが設けられ、一方の金属製の鉗子口本体２８の下方に外周が円形となる円形部２８ｄが形成され、上記係合孔２７ｄと円形部２８ｄとの間に、少し厚めの弾性ゴム２９が配置される。
【００２６】
そして、この弾性ゴム２９の係合孔２７ｄと円形部２８ｄの両方に対する摩擦及び弾性変形によって、５０Ｎ・ｃｍ〜４００Ｎ・ｃｍの範囲中の所定の回転許容トルク値が設定される。このような第３実施例によっても、鉗子口本体２８の空転により、ホルダー２６等の破損が防止される。
【００２７】
なお、第１〜第３実施例のトルクリミッタ機構においては、左右いずれの回転方向の回転許容トルク値も等しい態様となっている。通常、コネクタ８（図９）に加えるべき必要トルク値は、その固定時、解除時のそれぞれにおいて等しいので、この態様で十分であるが、この回転許容トルク値を左右で異なる値としてもよい。即ち、コネクタ８の固定時の回転方向のトルク値を低トルク値とし、コネクタ８の解除時の回転方向のトルク値を高トルク値とする。
【００２８】
図７には、回転許容トルク値を左右で変える場合の第４実施例の構成が示されており、例えば固定時回転方向（低トルク）は５０Ｎ・ｃｍ以上で４００Ｎ・ｃｍ以下のトルク値とし、解除時回転方向（高トルク）は４００Ｎ・ｃｍより大きく１０００Ｎ・ｃｍ以下（４００Ｎ・ｃｍ＜解除時設定値≦１０００Ｎ・ｃｍ）のトルク値とする。即ち、図７に示されるように、キー結合のうち固定時回転方向側の頂点（△）については若干隙間を設けるようにし、解除時回転方向側の頂点（○）については接するようにすればよい。
【００２９】
このような第４実施例の構成によれば、コネクタ８が偶然に強力に噛み合ってしまうような状況が発生したとしても、解除時の回転方向に回す際には十分に大きなトルクを与えても鉗子口本体１２の空回りは発生せず、コネクタ８の噛合いを外すことが可能となるから、コネクタ解除時の信頼性をより高めることができる。
【００３０】
上記実施例は、鉗子口２Ｋを配置する部分の例を説明したが、内視鏡において送液等を行う他の接続口に対して適用することができる。
図８には、内視鏡の他の例が示されており、この図８では、操作部１０の後端部にウォータージェット口（接続口）３１等が設けられている。このウォータージェット口３１は、例えば観察部位に対し染色液の散布や洗浄等を行うためのものであり、このウォータージェット口３１の接続部材においても、本願発明を適用することができる。
【符号の説明】
【００３１】
１…処置具挿通チャンネル、    ２，１２…鉗子口本体
４，１４，２１，２６…ホルダー（取付け部）、
２Ｋ，１２Ｋ…鉗子口、        １２ｄ，２０ｄ…角形部、
１５，２２，２７…取付け孔、  １５ｄ，２２ｄ，２７ｄ…係合孔、
１６，２９…弾性ゴム、        ２４…調整ネジ、
２８ｄ…円形部、              ３１…ウォータージェット口。
【図１】
2011182939.tif 000003
【図２】
2011182939.tif 000004
【図３】
2011182939.tif 000005
【図４】
2011182939.tif 000006
【図５】
2011182939.tif 000007
【図６】
2011182939.tif 000008
【図７】
2011182939.tif 000009
【図８】
2011182939.tif 000010
【図９】
2011182939.tif 000011